(57)【要約】【課題】捕集網部で捕集された毛髪等のゴミを簡単に上方に浮き上がらせることができ、捕集したゴミを容易に除去できるヘアキャッチャーを提供する。【解決手段】排水口２に保持される環状の支持枠３で囲まれた部分に捕集網部４を設ける。捕集網部４の中央部を外周部１８よりも下方に凹んだ半球面状の凹曲部１５とする。凹曲部１５を反転して上方に凸となる半球面状に変形可能な反転部とする。捕集網部４の凹曲部１５を囲む外周部１８を反転しない非反転部とする。【選択図】        図１
2009052342.tif 000002
【特許請求の範囲】
【請求項１】
排水口に保持される環状の支持枠で囲まれた部分に捕集網部を設け、該捕集網部の中央部を外周部よりも下方に凹んだ半球面状の凹曲部とし、該凹曲部を反転して上方に凸となる半球面状に変形可能な反転部とすると共に捕集網部の前記凹曲部を囲む外周部を反転しない非反転部とすることを特徴とするヘアキャッチャー。
【請求項２】
前記支持枠を上下方向のいずれに向けた状態でも排水口に保持可能とすることを特徴とする請求項１に記載のヘアキャッチャー。
【発明の詳細な説明】
【技術分野】
【０００１】
本発明は浴室の洗い場等に形成される排水口に設置されるヘアキャッチャーに関する。
に関する。
【背景技術】
【０００２】
従来の排水口に設置されるヘアキャッチャーとしては例えば特許文献１に示すものがあり、このものは排水口に保持される環状の支持枠で囲まれた部分に毛髪等のゴミを捕集するための捕集網部を設けている。また、この捕集網部は全体で下方に凹んだ半球面状に形成されると共に上方に凸となる半球面状に反転可能となっており、このように捕集網部を反転して内側に溜まった毛髪等のゴミを上方に浮き上がらせて除去できるようになっている。
【０００３】
ところで上記全体が半球面状をした捕集網部を反転するには捕集網部の中央から上方に向けて突出した取手部を指で摘んで引き上げることで行うのだが、この取手部にはゴミが引っ掛かりやすいという問題がある。また、取手部を設けずに捕集網部を指等で押圧して反転させることが考えられるが、捕集網部は全体が半球面状をしているため、指等で押圧した場合にこの押圧部分のみが変形して全体が反転しない場合があり、捕集網部を簡単に反転できないという問題がある。
【特許文献１】特開２００４−６０１７２号公報
【発明の開示】
【発明が解決しようとする課題】
【０００４】
本発明は上記従来の問題点に鑑みてなされたものであって、捕集網部でまとめて捕集された毛髪等のゴミを簡単に上方に浮き上がらせることができ、捕集したゴミを容易に除去できるヘアキャッチャーを提供することを課題とするものである。
【課題を解決するための手段】
【０００５】
上記課題を解決するために本発明に係るヘアキャッチャーは、排水口２に保持される環状の支持枠３で囲まれた部分に捕集網部４を設け、該捕集網部４の中央部を外周部１８よりも下方に凹んだ半球面状の凹曲部１５とし、該凹曲部１５を反転して上方に凸となる半球面状に変形可能な反転部とすると共に捕集網部４の前記凹曲部１５を囲む外周部１８を反転しない非反転部とすることを特徴とする。このように捕集網部４の中央部を外周部１８よりも下方に凹んだ半球面状の凹曲部１５とすることで、凹曲部１５上に毛髪等のゴミをまとめて堆積させることができる。そして、この凹曲部１５を下方から押圧して反転させることで上方に突となる半球面状の凸曲部１９とすることができ、これにより捕集網部４の凹曲部１５でまとめて捕集したゴミを上方に浮き上がらせることができる。また、凹曲部１５は捕集網部４の中央部にのみ形成してあり、該凹曲部１５を囲む外周部１８は反転しない非反転部としてあるので、凹曲部１５を反転しやすくできる。
【０００６】
また、請求項１において、前記支持枠３を上下方向のいずれに向けた状態でも排水口２に保持可能とすることが好ましい。この場合、ヘアキャッチャー１を上下いずれかの方位に向けた状態で設置でき、このため、例えば排水口２から取り出したヘアキャッチャー１の凹曲部１５を反転してゴミを取り除いた後にヘアキャッチャー１を再度排水口２に設置するにあたって、反転した凹曲部１５を再度反転することなくヘアキャッチャー１を前回設置時から支持枠３を上下方向の反対側に向けた状態で設置するだけで、反転した凹曲部１５を前回設置時における非反転状態の凹曲部１５と同じ形状とできる。
【発明の効果】
【０００７】
請求項１に係る発明では、捕集網部の中央部を外周部よりも下方に凹んだ半球面状の凹曲部とすることで、凹曲部上に毛髪等のゴミをまとめて堆積させることができ、また、凹曲部を下方から押圧して反転させることで上方に突となる凸曲面状の凸曲部とすることができ、これにより捕集網部の凹曲部でまとめて捕集したゴミを上方に浮き上がらせることができ、ゴミを簡単に除去できる。しかも、この凹曲部は捕集網部の中央部にのみ形成してあり、該凹曲部を囲む外周部は反転しない非反転部としてあるので、凹曲部が反転しやすく、このため凹曲部を指で上方に押圧するだけで簡単に反転させることができ、また、従来のように捕集網部を反転させるための取手部を別途設ける必要がない。
【０００８】
また請求項２に係る発明では、請求項１に係る発明の効果に加えて、ヘアキャッチャーを上下方向のいずれに向けた状態でも設置でき、例えば排水口から取り出したヘアキャッチャーの凹曲部を反転してゴミを取り除いた後にヘアキャッチャーを再度排水口に設置するにあたって、反転した凹曲部を再度反転することなくヘアキャッチャーを前回設置時から支持枠を上下方向の反対側に向けた状態で設置するだけで、反転した凹曲部を前回設置時における非反転状態の凹曲部と同じ形状とでき、反転した凹曲部を押圧して元に戻す手間を省け、また凹曲部の反転回数を減らして長寿命化することもできる。
【発明を実施するための最良の形態】
【０００９】
以下、本発明を添付図面に示す実施形態に基づいて説明する。
【００１０】
本例のヘアキャッチャー１が設置される排水口２は図２に示すように浴室の洗い場に形成したものであり、洗い場を構成する床パン５には取付口６を形成している。取付口６には排水トラップ７を取り付けてあり、該排水トラップ７は、取付口６の下方に配置される容器状のトラップ本体８と、トラップ本体８に取り付けた取付用筒体９と、トラップ本体８の内側に挿入される封水筒体１０とを備えている。
【００１１】
取付用筒体９の下部はトラップ本体８の上面に形成した開口部８ａに取り付けてあり、該取付用筒体９の上端に周設した上側鍔部１１とトラップ本体８の開口部８ａの周縁部とで取付口６の周縁部を挟持することで、トラップ本体８は取付口６に取り付けられている。トラップ本体８の外周壁部には排水を下水へ排出するための出口部１２を設けている。
【００１２】
取付用筒体９の下端部には内側に向けて突出する下側鍔部２０を周設してあり、下側鍔部２０上には封水筒体１０の上端部外周に設けた鍔状載置部１３を載設している。封水筒体１０の下部はトラップ本体８の出口部１２よりも下方の位置まで挿入されて、トラップ本体８内の溜水２２内に浸かっており、これによりトラップ本体８内に封水部を形成している。排水口２は取付用筒体９及びこれに通じる封水筒体１０で構成してあり、該排水口２にヘアキャッチャー１が配設される。
【００１３】
そして上記排水構造にあっては、洗い場上の水が排水口２に流入してヘアキャッチャー１で毛髪等のゴミが捕集され、この後、封水筒体１０、トラップ本体８を順に介して出口部１２から下水へと排出される。
【００１４】
以下、ヘアキャッチャー１について詳述する。図１に示す本例のヘアキャッチャー１は、外周縁を構成する円環状の支持枠３と、支持枠３で囲まれた部分に設けた網状の捕集網部４で構成してあり、捕集網部４の外周縁は円筒状の支持枠３の内周面の上下方向の中間部に接続されている。捕集網部４は、中心から放射状に伸びる多数の放射状リブ１６と、放射状リブ１６間に架設される多数の接続リブ１７で構成してあり、全体に亘って多数の通水孔１４を形成している。捕集網部４の中央部にはこれを囲む外周部１８よりも下方に凹んだ半球面状の凹曲部１５を形成してある。
【００１５】
ここで、捕集網部４の材質はゴム等の軟質部材又は塑性変形しやすい金属で形成してあり、これにより凹曲部１５は下方から指等で上方に押圧することで図３に示すように凹曲部１５を上方に凸となる半球面状に反転可能な反転部となっている。また、この中央の凹曲部１５を囲む環状の外周部１８は水平となっており、この外周部１８は前記凹曲部１５が反転した際に反転しない非反転部となっている。
【００１６】
ヘアキャッチャー１は図２のように円筒状の支持枠３を排水口２の上端部に嵌め込み、取付用筒体９の下側鍔部２０上に支持枠３を載置することで排水口２に出し入れ自在に保持される。ヘアキャッチャー１の支持枠３は排水口２の内周面に形成した下側鍔部２０で構成される段差部上に載置することで排水口２に保持されるものであり、これによりヘアキャッチャー１は支持枠３を上下方向のいずれに向けた状態でも同じ状態で排水口２の開口部に保持できるようになっている。なお、支持枠３を排水口２に保持する方法としてはこれに限定されず、例えば排水口２の内周面に突起を設けると共に支持枠３の外周面に前記突起が係合する溝を設けたり、排水口２の上端開口縁部に支持枠３を載置する等しても良いものとする。
【００１７】
上記ヘアキャッチャー１は排水口２から取り出して、複数の通水孔１４を形成した捕集網部４で捕集されたゴミを取り除けるようになっている。また、この捕集されたゴミは以下の理由により簡単に除去できるようになっている。即ち、本例のヘアキャッチャー１は、捕集網部４の外周部よりも下方に凹んだ中央部の凹曲部１５上に毛髪等のゴミをまとめて堆積させることができ、さらにこの凹曲部１５を上方に押圧すると図３のように反転して上方に突となる半球面状の凸曲部１９とすることができ、これにより捕集網部４の凹曲部１５でまとめて捕集したゴミを上方に浮き上がらせ、簡単にゴミを除去できる。しかも、この凹曲部１５は中央部に形成してあり、該凹曲部１５を囲む外周部１８は反転しない非反転部としてあるので、反転しやすくなっている。このため凹曲部１５を指で押圧して上方に突となる半球面状に簡単に反転できる。また、これにより従来のヘアキャッチャーのように捕集網部に取手部を立設する必要がなく、取手部にゴミが引っ掛かることもない。
【００１８】
また、本例のヘアキャッチャー１は支持枠３を上下方向のいずれに向けた状態でも排水口２に保持できるので、例えば排水口２から取り出したヘアキャッチャー１の凹曲部１５を反転してゴミを取り除いた後にヘアキャッチャー１を再度排水口２に設置するにあたって、反転した凹曲部１５を再度反転することなくヘアキャッチャー１を前回設置時から支持枠３を上下方向の反対側に向けた状態で設置するだけで、反転した凹曲部１５を前回設置時における非反転状態の凹曲部１５と同じ形状とでき、反転した凹曲部１５を押圧して元に戻す手間を省くことができ、また、凹曲部１５の反転回数を減らして長寿命化することもできる。
【図面の簡単な説明】
【００１９】
【図１】本発明の実施の形態の一例のヘアキャッチャーを示し、（ａ）は上側から見た斜視図であり、（ｂ）は断面図である。
【図２】同上のヘアキャッチャーを排水口に設置した状態を示す断面図である。
【図３】同上のヘアキャッチャーの凹曲部を反転した状態を示し、（ａ）は上側から見た斜視図であり、（ｂ）は断面図である。
【符号の説明】
【００２０】
１  ヘアキャッチャー
２  排水口
３  支持枠
４  捕集網部
１８  外周部
【図１】
2009052342.tif 000003
【図２】
2009052342.tif 000004
【図３】
2009052342.tif 000005